(57)【要約】【課題】表示装置及びこの表示装置を支持するマザーボードを提供する。【解決手段】本発明の表示装置は、ＰＳ/２キーボードインターフェースが設けられたスクリーンと、ＰＳ/２キーボードインターフェースの電源信号ピンに接続される電源回路と、表示回路と、ＶＧＡインターフェースとを備え、ＶＧＡインターフェースは、ＰＳ/２キーボードインターフェースのデータ信号ピン及びクロック信号ピンにそれぞれに接続される第一、第二アイドルピンと、表示回路に接続される複数のビデオピンと、を備える。本発明のマザーボードは、ビデオ回路と、サウスブリッジチップと、ＶＧＡインターフェースとを備え、ＶＧＡインターフェースは、サウスブリッジチップのキーボードデータ信号ピン及びキーボードクロック信号ピンにそれぞれに接続される第三、第四アイドルピンと、ビデオ回路に接続される複数のビデオピンと、を備える。【選択図】図１
2013037679.tif 000002
【特許請求の範囲】
【請求項１】
スクリーンと、電源回路と、表示回路と、ＶＧＡインターフェースとを備えてなるＰＳ/２キーボードインターフェースを有する表示装置であって、
前記スクリーンには、ＰＳ/２キーボードインターフェースが設けられ、
前記ＶＧＡインターフェースは、前記ＰＳ/２キーボードインターフェースのデータ信号ピンに接続される第一アイドルピンと、前記ＰＳ/２キーボードインターフェースのクロック信号ピンに接続される第二アイドルピンと、前記表示回路に接続される複数のビデオピンと、を備え、
前記ＰＳ/２キーボードインターフェースの電源信号ピンは、前記電源回路に接続されて作動電圧を受け、
前記ＰＳ/２キーボードインターフェースの接地信号ピンは接地することを特徴とするＰＳ/２キーボードインターフェースを有する表示装置。
【請求項２】
ビデオ回路、サウスブリッジチップ及びＶＧＡインターフェースを備えてなるマザーボードであって、
前記ＶＧＡインターフェースは、前記サウスブリッジチップのキーボードデータ信号ピンに接続される第三アイドルピンと、前記サウスブリッジチップのキーボードクロック信号ピンに接続される第四アイドルピンと、前記ビデオ回路に接続される複数のビデオピンと、を備えることを特徴とするマザーボード。
【発明の詳細な説明】
【技術分野】
【０００１】
本発明は、ＰＳ/２キーボードインターフェースを有する表示装置及びこの表示装置を支持するマザーボードに関するものである。
【背景技術】
【０００２】
キーボードインターフェースは、一般的にホストコンピュータの背面に設けられるので、キーボードをホストコンピュータの背面のキーボードインターフェースに接続することが不便である。
【発明の概要】
【発明が解決しようとする課題】
【０００３】
本発明の目的は、前記課題を解決し、ＰＳ/２キーボードインターフェースを有する表示装置及びこの表示装置を支持するマザーボードを提供して、ＰＳ/２キーボードを表示装置のＰＳ/２キーボードインターフェースに便利に接続することができる。
【課題を解決するための手段】
【０００４】
本発明に係るＰＳ/２キーボードインターフェースを有する表示装置は、スクリーン、電源回路、表示回路及びＶＧＡインターフェースを備え、前記スクリーンには、ＰＳ/２キーボードインターフェースが設けられ、前記ＶＧＡインターフェースは、前記ＰＳ/２キーボードインターフェースのデータ信号ピンに接続される第一アイドルピンと、前記ＰＳ/２キーボードインターフェースのクロック信号ピンに接続される第二アイドルピンと、前記表示回路に接続される複数のビデオピンと、を備え、前記ＰＳ/２キーボードインターフェースの電源信号ピンは、前記電源回路に接続されて作動電圧を受け、前記ＰＳ/２キーボードインターフェースの接地信号ピンは接地する。
【０００５】
本発明に係るマザーボードは、ビデオ回路、サウスブリッジチップ及びＶＧＡインターフェースを備え、前記ＶＧＡインターフェースは、前記サウスブリッジチップのキーボードデータ信号ピンに接続される第三アイドルピンと、前記サウスブリッジチップのキーボードクロック信号ピンに接続される第四アイドルピンと、前記ビデオ回路に接続される複数のビデオピンと、を備える。
【発明の効果】
【０００６】
本発明のＰＳ/２キーボードインターフェースを有する表示装置は、スクリーンにＰＳ/２キーボードインターフェースを設けて、前記ＰＳ/２キーボードインターフェースを有する表示装置のＶＧＡインターフェースの第一アイドルピン及び第二アイドルピンを前記ＰＳ/２キーボードインターフェースのデータ信号ピン及びクロック信号ピンにそれぞれに接続するとともに、前記第一アイドルピン及び前記第二アイドルピンに対応するマザーボードのＶＧＡインターフェースの第三アイドルピン及び第四アイドルピンをサウスブリッジチップのキーボードデータ信号ピン及びキーボードクロック信号ピンに接続して、前記ＰＳ/２キーボードインターフェースを有する表示装置のＶＧＡインターフェースを前記マザーボードのＶＧＡインターフェースに差し込むと、前記ＰＳ/２キーボードインターフェースに接続されるＰＳ/２キーボードは、前記マザーボードのサウスブリッジチップと通信することができ、従ってＰＳ/２キーボードを表示装置のＰＳ/２キーボードインターフェースに容易に接続することができる。
【図面の簡単な説明】
【０００７】
【図１】本発明の実施形態に係るＰＳ/２キーボードインターフェースを有する表示装置を示す図である。
【図２】本発明の実施形態に係るＰＳ/２キーボードインターフェースを有する表示装置及び前記表示装置に接続されたマザーボードの回路図である。
【発明を実施するための形態】
【０００８】
以下、図面を参照して、本発明の実施形態について説明する。
【０００９】
図１を参照すると、本発明の実施形態に係るＰＳ/２キーボードインターフェースを有する表示装置３０は、スクリーン３００（例えば、液晶スクリーン）を備える。前記スクリーン３００の右側の下方には、ＰＳ/２キーボードを接続するためのＰＳ/２キーボードインターフェース３６が設けられる。
【００１０】
図２を参照すると、前記ＰＳ/２キーボードインターフェースを有する表示装置３０は、電源回路３２、表示回路３４及びＶＧＡインターフェース３８をさらに備える。前記電源回路３２及び前記表示回路３４は、前記表示装置３０の内部の電気回路基板（図示せず）に設けられる。前記電源回路３２は、前記表示回路３４に接続されて、前記表示回路３４に電力を提供する。前記ＶＧＡインターフェース３８は、第一アイドルピン（ｉｄｌｅ  ｐｉｎ）３８２と、第二アイドルピン３８４と、複数のビデオピンと、を備える。前記ＶＧＡインターフェース３８のビデオピンは、前記表示回路３４に接続される（具体的な接続関係は図示せず）。
【００１１】
前記ＰＳ/２キーボードインターフェース３６は、データ信号ピン３６１と、接地信号ピン３６２と、電源信号ピン３６３と、クロック信号ピン３６４と、を備える。前記電源信号ピン３６３は、前記電源回路３２に接続されて作動電圧を受ける。前記接地信号ピン３６２は接地する。前記データ信号ピン３６１は、前記ＶＧＡインターフェース３８の第一アイドルピン３８２に接続される。前記クロック信号ピン３６４は、前記ＶＧＡインターフェース３８の第二アイドルピン３８４に接続される。
【００１２】
本発明の実施形態に係る前記ＰＳ/２キーボードインターフェースを有する表示装置３０に接続されるマザーボード４０は、ＶＧＡインターフェース４２と、ビデオ回路４４と、サウスブリッジチップ４６と、を備える。前記サウスブリッジチップ４６は、キーボードデータ信号ピン４６２及びキーボードクロック信号ピン４６４を備える。前記ＶＧＡインターフェース４２は、第三アイドルピン４２２と、第四アイドルピン４２４と、複数のビデオピンと、を備える。前記第三アイドルピン４２２は、前記第一アイドルピン３８２に対応し、前記第四アイドルピン４２４は、前記第二アイドルピン３８４に対応する。前記第三アイドルピン４２２は、前記サウスブリッジチップ４６のキーボードデータ信号ピン４６２に接続され、前記第四アイドルピン４２４は、前記サウスブリッジチップ４６のキーボードクロック信号ピン４６４に接続され、前記ビデオピンは、前記ビデオ回路４４に接続される。
【００１３】
他の実施形態において、前記ＰＳ/２キーボードインターフェース３６は、必要によって前記スクリーン３００の他の位置に設けられることができる。
【００１４】
前記ＰＳ/２キーボードインターフェースを有する表示装置３０のＶＧＡインターフェース３８を前記マザーボード４０のＶＧＡインターフェース４２に差し込むと、前記ＶＧＡインターフェース４２の第三アイドルピン４２２及び第四アイドルピン４２４は、前記ＶＧＡインターフェース３８の第一アイドルピン３８２及び第二アイドルピン３８４にそれぞれに接続される。前記ＰＳ/２キーボードインターフェース３６のデータ信号ピン３６１は、前記第一アイドルピン３８２及び前記第三アイドルピン４２２によって、前記サウスブリッジチップ４６のキーボードデータ信号ピン４６２に接続される。前記ＰＳ/２キーボードインターフェース３６のクロック信号ピン３６４は、前記第二アイドルピン３８４及び前記第四アイドルピン４２４によって、前記サウスブリッジチップ４６のキーボードクロック信号ピン４６４に接続される。前記ＶＧＡインターフェース４２のビデオピンは、前記ＶＧＡインターフェース３８のビデオピンに対応して接続される。前記ＰＳ/２キーボードインターフェースを有する表示装置３０の電源回路３２は、交流電源を１２Ｖ及び５Ｖの直流電源に変換する。前記１２Ｖの直流電源は、前記表示回路３４に提供され、前記５Ｖの直流電源は、前記ＰＳ/２キーボードインターフェース３６の電源信号ピン３６３に提供される。ＰＳ/２キーボードが前記ＰＳ/２キーボードインターフェース３６に接続される場合、前記ＰＳ/２キーボードは前記ＰＳ/２キーボードインターフェースを有する表示装置３０のＶＧＡインターフェース３８及び前記マザーボード４０のＶＧＡインターフェース４２によって、前記マザーボード４０のサウスブリッジチップ４６と通信することができる。
【００１５】
本発明の前記ＰＳ/２キーボードインターフェースを有する表示装置３０は、前記スクリーン３００に前記ＰＳ/２キーボードインターフェース３６を設けて、前記ＰＳ/２キーボードインターフェースを有する表示装置３０のＶＧＡインターフェース３８の第一アイドルピン３８２及び第二アイドルピン３８４を前記ＰＳ/２キーボードインターフェース３６のデータ信号ピン３６１及びクロック信号ピン３６４にそれぞれに接続するとともに、前記ＶＧＡインターフェース３８の第一アイドルピン３８２及び第二アイドルピン３８４に対応する前記マザーボード４０のＶＧＡインターフェース４２の第三アイドルピン４２２及び第四アイドルピン４２４を前記サウスブリッジチップ４６のキーボードデータ信号ピン４６２及びキーボードクロック信号ピン４６４に接続して、前記ＶＧＡインターフェース３８を前記ＶＧＡインターフェース４２に差し込むと、前記ＰＳ/２キーボードインターフェース３６に接続されるＰＳ/２キーボードは、前記マザーボード４０のサウスブリッジチップ４６と通信することができる。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１７】
３０  ＰＳ/２キーボードインターフェースを有する表示装置
３２  電源回路
３４  表示回路
３６  ＰＳ/２キーボードインターフェース
３８，４２  ＶＧＡインターフェース
４０  マザーボード
４４  ビデオ回路
４６  サウスブリッジチップ
３００  スクリーン
３６１  データ信号ピン
３６２  接地信号ピン
３６３  電源信号ピン
３６４  クロック信号ピン
３８２  第一アイドルピン
３８４  第二アイドルピン
４２２  第三アイドルピン
４２４  第四アイドルピン
４６２  キーボードデータ信号ピン
４６４  キーボードクロック信号ピン
【図１】
2013037679.tif 000003
【図２】
2013037679.tif 000004